(57)【要約】【課題】容器の把持性が低下することを防止できるゲーブルトップ型容器を提供すること。【解決手段】ゲーブルトップ型容器１は、筒状胴部２と、底部と、切妻屋根４とを備え、切妻屋根４は、互いに対向する一対の屋根パネル４２と、屋根パネル４２の対向方向に交差する方向で互いに対向し、屋根パネル４２の間に折り込まれる一対の妻壁パネル４３と、屋根パネル４２の上端部および妻壁パネル４３の上端部が接合されて形成されたトップシール４６とを備え、筒状胴部２は、当該筒状胴部２の周方向に連なり、互いの接続部で角部２１Ａ、２２Ａ、２３Ａを形成する４つの胴部パネル２２、２３と、角部２３Ａに上下に並んで設けられ、面形状とされた複数の角面部２５、２６とを備え、角部２３Ａの角面部２５、２６間には、角部２３Ａを挟んで隣り合う胴部パネル２２、２３同士の交点ＣＰが形成されている。【選択図】図１
2019123542.tif 000002
【特許請求の範囲】
【請求項１】
ゲーブルトップ型容器であって、
筒状胴部と、
前記筒状胴部の下端に連設された底部と、
前記筒状胴部の上端に連設された切妻屋根とを備え、
前記切妻屋根は、
互いに対向する一対の屋根パネルと、
前記一対の屋根パネルの対向方向に交差する方向で互いに対向し、前記一対の屋根パネルの間に折り込まれる一対の妻壁パネルと、
前記一対の屋根パネルの上端部および前記一対の妻壁パネルの上端部が接合されて形成されたトップシールとを備え、
前記筒状胴部は、
当該筒状胴部の周方向に連なり、互いの接続部で角部を形成する４つの胴部パネルと、
前記角部に上下に並んで設けられ、面形状とされた複数の角面部とを備え、
前記角部の前記角面部間には、前記角部を挟んで隣り合う胴部パネル同士の交点または交線が形成されていることを特徴とするゲーブルトップ型容器。
【請求項２】
前記胴部パネル同士の交点または交線は、前記底部から前記筒状胴部の高さの４５％以上８０％以下の範囲内の位置に設けられていることを特徴とする請求項１に記載のゲーブルトップ型容器。
【請求項３】
前記角面部は、
当該角面部の上端部を構成し、前記角部から分岐して下方に向かって互いに離間する２つの第１折曲線と、
当該角面部の下端部を構成し、下方に向かって互いに接近して前記角部で合流する２つの第２折曲線とを備え、
前記第１折曲線および前記第２折曲線の少なくとも一方は、前記角部側の端部が直線部とされ、前記直線部と前記角部の上端および下端を結ぶ直線とのなす角度が３０度以下であることを特徴とする請求項１または請求項２に記載のゲーブルトップ型容器。
【請求項４】
前記角面部は、
当該角面部の上端部を構成し、前記角部から分岐して下方に向かって互いに離間する２つの第１折曲線と、
当該角面部の下端部を構成し、下方に向かって互いに接近して前記角部で合流する２つの第２折曲線とを備え、
前記第１折曲線および前記第２折曲線の少なくとも一方は、前記角部側の端部が曲線部とされ、前記角部における前記曲線部の接線と前記角部の上端および下端を結ぶ直線とのなす角度が３０度以下であることを特徴とする請求項１または請求項２に記載のゲーブルトップ型容器。
【発明の詳細な説明】
【技術分野】
【０００１】
本発明は、牛乳、乳飲料、ジュース等の飲料液体やヨーグルト、ゼリー等のゲル状食品を収容するゲーブルトップ型容器に関する。
【背景技術】
【０００２】
従来、牛乳カートンに代表される飲料用等の紙容器として、表裏面に熱可塑性樹脂を積層した板紙素材で構成されるゲーブルトップ型容器がある。ゲーブルトップ型容器は、飲料液体等が収容される筒状胴部と、筒状胴部の上端に連設された切妻屋根とを備えている。切妻屋根は、一対の屋根パネルと、一対の切妻屋根間に内向きに折り込まれた一対の妻壁パネルと、一対の屋根パネルの上端部および一対の妻壁パネルの上端部を接合して形成されるトップシールとを備えている。
【０００３】
このようなゲーブルトップ型容器として、筒状胴部の角部を面形状にしたものが知られている（例えば、特許文献１、２参照）。筒状胴部の角部を面形状にすることで、視線誘引性の向上等が期待できる。
【先行技術文献】
【特許文献】
【０００４】
【特許文献１】特開２０１６−１６９０５号公報
【特許文献２】特開２０１２−１９７０８２号公報
【発明の概要】
【発明が解決しようとする課題】
【０００５】
特許文献１、２に記載されたような従来のゲーブルトップ型容器は、角部が面形状とされることで角部の剛性が低下するため、容器の把持性が低下するという問題がある。
【０００６】
本発明の目的は、容器の把持性が低下することを防止できるゲーブルトップ型容器を提供することにある。
【課題を解決するための手段】
【０００７】
本発明のゲーブルトップ型容器は、筒状胴部と、前記筒状胴部の下端に連設された底部と、前記筒状胴部の上端に連設された切妻屋根とを備え、前記切妻屋根は、互いに対向する一対の屋根パネルと、前記一対の屋根パネルの対向方向に交差する方向で互いに対向し、前記一対の屋根パネルの間に折り込まれる一対の妻壁パネルと、前記一対の屋根パネルの上端部および前記一対の妻壁パネルの上端部が接合されて形成されたトップシールとを備え、前記筒状胴部は、当該筒状胴部の周方向に連なり、互いの接続部で角部を形成する４つの胴部パネルと、前記角部に上下に並んで設けられ、面形状とされた複数の角面部とを備え、前記角部の前記角面部間には、前記角部を挟んで隣り合う胴部パネル同士の交点または交線が形成されていることを特徴とする。
【０００８】
本発明によれば、角部に設けられた複数の角面部間に、角部を挟んで隣り合う胴部パネル同士の交点または交線が形成されるため、当該交点または交線で角面部間を角形状にすることができる。これにより、角部の剛性が低下するのを防ぐことができるので、容器の把持性が低下することを防止できる。
【０００９】
本発明のゲーブルトップ型容器において、前記胴部パネル同士の交点または交線は、前記底部から前記筒状胴部の高さの４５％以上８０％以下の範囲内の位置に設けられていることが好ましい。
【００１０】
本発明によれば、利用者がゲーブルトップ型容器を把持する傾向にある高さ位置近傍で角部を角形状にすることができるので、ゲーブルトップ型容器の把持性が低下することを効果的に防止することができる。
【００１１】
本発明のゲーブルトップ型容器において、前記角面部は、当該角面部の上端部を構成し、前記角部から分岐して下方に向かって互いに離間する２つの第１折曲線と、当該角面部の下端部を構成し、下方に向かって互いに接近して前記角部で合流する２つの第２折曲線とを備え、前記第１折曲線および前記第２折曲線の少なくとも一方は、前記角部の上端と下端とを結ぶ直線とのなす角度が３０度以下であることが好ましい。
【００１２】
本発明によれば、角面部の端部を構成する第１折曲線および第２折曲線の少なくとも一方の角度が小さいため、角面部の端部の周辺に皺がよったり、容器を形成する前のゲーブルトップ型容器用パネルが歪んだりすることを抑制できる。
【００１３】
本発明のゲーブルトップ型容器において、前記角面部は、当該角面部の上端部を構成し、前記角部から分岐して下方に向かって互いに離間する２つの第１折曲線と、当該角面部の下端部を構成し、下方に向かって互いに接近して前記角部で合流する２つの第２折曲線とを備え、前記第１折曲線および前記第２折曲線の少なくとも一方は、前記角部側の端部が曲線部とされ、前記角部における前記曲線部の接線と前記角部の上端および下端を結ぶ直線とのなす角度が３０度以下であることが好ましい。
【００１４】
本発明によれば、角面部の端部を構成する第１折曲線および第２折曲線の少なくとも一方の角度が小さいため、角面部の端部の周辺に皺がよったり、容器を形成する前のゲーブルトップ型容器用パネルが歪んだりすることを抑制できる。
【００１５】
本発明のゲーブルトップ型容器は、牛乳、乳飲料、ジュース等の飲料液体やヨーグルト、ゼリー等のゲル状食品の収容に用いられることが好ましい。
【００１６】
本発明によれば、ゲーブルトップ型容器が牛乳、乳飲料、ジュース等の飲料液体やヨーグルト、ゼリー等のゲル状食品の収容に用いられるため、ゲーブルトップ型容器の汎用性を活かすことができる。
【図面の簡単な説明】
【００１７】
【図１】本発明の一実施形態に係るゲーブルトップ型容器の斜視図。
【図２】ゲーブルトップ型容器の展開図。
【図３】本発明の変形例に係るゲーブルトップ型容器の斜視図。
【図４】本発明の変形例に係るゲーブルトップ型容器の斜視図。
【図５】本発明の変形例に係るゲーブルトップ型容器の斜視図。
【発明を実施するための形態】
【００１８】
以下、本発明の一実施形態を図面に基づいて説明する。
なお、以下の記載において方向を表す場合、図１に示すように、ゲーブルトップ型容器１を起立させた状態を基準とする。
【００１９】
図１は、本実施形態に係るゲーブルトップ型容器１を示す斜視図である。図２は、ゲーブルトップ型容器１の展開図（ゲーブルトップ型容器用パネル１０（カートンブランクとも称する）の平面図）である。ゲーブルトップ型容器１は、表裏面に熱可塑性樹脂を積層した板紙素材で構成され、牛乳、乳飲料、ジュース等の飲料液体やヨーグルト、ゼリー等のゲル状食品の収容に用いられる。
図１および図２において、ゲーブルトップ型容器１は、筒状胴部２と、筒状胴部２の下端に連設された底部３と、筒状胴部２の上端に連設された切妻屋根４と、切妻屋根４に設けられた口栓５とを備えている。
【００２０】
筒状胴部２は、当該筒状胴部２の周方向（水平方向）に連なり、互いの接続部で角部２１Ａ、２２Ａ、２３Ａ、２４Ａを形成する４つの胴部パネル２１〜２４と、角部２３Ａに上下に並んで設けられ、面形状とされた複数の角面部２５、２６と、胴部パネル２４に連なるシールパネル２７とを備えている。胴部パネル２１〜２４および角面部２５、２６は、シールパネル２７が胴部パネル２１に加熱シールされることで、略角筒状の筒状胴部２を形成する。
【００２１】
胴部パネル２１と胴部パネル２３とは、並びに、胴部パネル２２と胴部パネル２４とは、それぞれ上下方向に延びる胴部縦折線２１Ｂ、２２Ｂを介して連なっている。
胴部パネル２２および胴部パネル２３は、角面部２５、２６を介して互いに連なっている。
【００２２】
角部２１Ａ、２２Ａ、２３Ａ、２４Ａは、切妻屋根４の角Ｃ４１〜Ｃ４４と、底部３の角Ｃ３１〜Ｃ３４とを結ぶ直線Ｌ１〜Ｌ４上に位置している。なお、直線Ｌ１、Ｌ２、Ｌ４は、それぞれ順に胴部縦折線２１Ｂ、２２Ｂ、２４Ｂと一致する。
角部２３Ａの角面部２５、２６間には、角部２３Ａを挟んで隣り合う胴部パネル２２、２３同士の交点ＣＰが形成されている。すなわち、胴部パネル２２、２３は、交点ＣＰを介して連なり、交点ＣＰ上で互いに接している。交点ＣＰは、直線Ｌ３上に配置され、角部２３Ａの節として角面部２５、２６間を角形状にする。交点ＣＰは、底部３から筒状胴部２の高さの４５％以上８０％以下の範囲内の位置に設けられることが好ましい。このような範囲に交点ＣＰを配置することにより、利用者がゲーブルトップ型容器１を把持する傾向にある高さ位置近傍で角部２３Ａを角形状にすることができるので、ゲーブルトップ型容器１の把持性が低下することを効果的に防止することができる。
【００２３】
角面部２５は、当該角面部２５Ａの上端部を構成し、角部２３Ａ（直線Ｌ３）から分岐して下方に向かって互いに離間する２つの第１折曲線２５１と、当該角面部２５の下端部を構成し、下方に向かって互いに接近して角部２３Ａ（直線Ｌ３）で合流する２つの第２折曲線２５２と、第１折曲線２５１および第２折曲線２５２を接続する第３折曲線２５３とで構成される。
各折曲線２５１〜２５３は、角部２３Ａの上端（切妻屋根４の角Ｃ４３）と下端（底部３の角Ｃ３３）とを結ぶ直線Ｌ３に対して線対称とされている。
第１折曲線２５１および第２折曲線２５２は、角部２３Ａ側の端部を含む全体が直線部とされている。第１折曲線２５１および第２折曲線２５２の少なくとも一方は、直線Ｌ３とのなす角度θが３０度以下であることが好ましい。角度θが３０度以下であれば、角面部２５の端部の周辺に皺がよったり、ゲーブルトップ型容器用パネル１０が歪んだりすることを抑制できる。
第３折曲線２５３は、互いに平行とされ、かつ直線Ｌ３と平行に延設されている。第３折曲線２５３同士の間隔、すなわち角面部２５の幅Ａは、角部２２Ａ、２３Ａの間隔、すなわち筒状胴部２の幅Ｂの１０％以上４０％以下であることが好ましい。ゲーブルトップ型容器１では、内部の収容物によって筒状胴部２が膨れるいわゆる胴膨れが生じるが、角面部２５の幅Ａをこのような範囲に設定することで、胴膨れが角面部２５を設けない場合と同程度になり、ゲーブルトップ型容器１を搬送用ケース（クレートともいう）に収納したり、棚へ陳列したりする際の妨げになることを防止できる。
【００２４】
角面部２６は、長さが異なる点を除いて、角面部２５と同様に構成されている。このため、角面部２６および各折曲線２６１〜２６３については、角面部２５および各折曲線２５１〜２５３の符号の先頭から２番目の５の記号を６に置き換えて図示し、その説明を省略する。
【００２５】
シールパネル２７は、胴部縦折線２４Ｂを介して胴部パネル２４に連なっている。
【００２６】
底部３は、底部縦折線３１Ｂ、３２Ｂ、３３Ｂを介して互いに連なるとともに、底部横折線３１Ａ、３２Ａ、３３Ａ、３４Ａを介して胴部パネル２１〜２４の下端に連なる４つの底部パネル３１〜３４と、底部パネル３４に底部縦折線３４Ｂを介して連なるとともに、シールパネル２７の下端に連なるシールパネル３５とを備えている。
底部パネル３１、３２には、一対の谷折線３１１、３２１が形成されている。
【００２７】
切妻屋根４は、互いに対向する一対の屋根パネル４１、４２と、一対の屋根パネル４１、４２の対向方向に交差する方向で互いに対向し、一対の屋根パネル４１、４２の間に折り込まれる一対の妻壁パネル４３、４４と、妻壁パネル４４に上部縦折線４４Ｂを介して連なるとともに、シールパネル２７の上端に連なるシールパネル４５と、一対の屋根パネル４１、４２の上端部４１２、４２２および一対の妻壁パネル４３、４４の上端部４３５、４４５が接合されて形成されたトップシール４６とを備えている。一対の屋根パネル４１、４２および一対の妻壁パネル４３、４４は、屋根パネル４１、妻壁パネル４３、屋根パネル４２、妻壁パネル４４の順で水平方向に連なっている。
【００２８】
屋根パネル４１は、上下方向に延びる上部縦折線４１Ｂを介して妻壁パネル４３に連なるとともに、水平方向に延びる上部横折線４１Ａを介して胴部パネル２１に連なっている。この屋根パネル４１は、水平方向に沿って形成された谷折線４１１と、谷折線４１１の上方に位置する上端部４１２とを備えている。
【００２９】
屋根パネル４２は、上下方向に延びる上部縦折線４３Ｂ、４２Ｂを介して妻壁パネル４３、４４に連なるとともに、水平方向に延びる上部横折線４２Ａを介して胴部パネル２２に連なっている。この屋根パネル４２は、水平方向に沿って形成された谷折線４２１と、谷折線４２１の上方に位置する上端部４２２と、口栓５を装着するための口栓装着孔４２３とを備えている。
【００３０】
妻壁パネル４３は、水平方向に延びる上部横折線４３Ａを介して胴部パネル２３に連なっている。この妻壁パネル４３は、水平方向に沿って形成された山折線４３１と、上部縦折線４１Ｂと上部横折線４３Ａとの交点Ｐ１（切妻屋根４の角Ｃ４１）および上部縦折線４３Ｂと上部横折線４３Ａとの交点Ｐ２（切妻屋根４の角Ｃ４３）から山折線４３１の中央に位置する互いの交点Ｐ３まで延びる一対の谷折線４３２と、一対の谷折線４３２および上部横折線４３Ａに囲まれた第１折込部４３３と、第１折込部４３３を挟んだ両側（第１折込部４３３の水平方向両側）に設けられ、一対の屋根パネル４１、４２に連なる第２折込部４３４と、山折線４３１の上方に位置する上端部４３５とを備えている。
上端部４３５は、その水平方向の中央に交点Ｐ３から上方に延びる折返線４３６が設けられ、当該折返線４３６で折り返された状態でトップシール４６を形成する。
【００３１】
妻壁パネル４４は、水平方向に延びる上部横折線４４Ａを介して胴部パネル２４に連なっている。妻壁パネル４４は、妻壁パネル４３と同様に構成されているため、妻壁パネル４３の符号の先頭から２番目の３の記号を４に置き換えて図示し、その説明を省略する。
【００３２】
以上のゲーブルトップ型容器１は、図２に示すゲーブルトップ型容器用パネル１０から、次のような手順で形成される。
先ず、ゲーブルトップ型容器用パネル１０のシールパネル２７、３５、４５を胴部パネル２１、底部パネル３１、屋根パネル４１に加熱シールし、カートンブランクを形成する。次いで、このカートンブランクを角筒状にする。この際、角部２３Ａに角面部２５、２６が形成される。この状態で、底部パネル３１、３２を谷折線３１１、３２１に沿って谷折りしながら、底部横折線３１Ａ、３２Ａにより底部パネル３３、３４間に内向きに折り込み、底部パネル３３、３４と重ね合わせる。そして、底部パネル３１〜３４の重ね合わせ部分全体を加熱シールし、底部３を形成する。
【００３３】
その後、谷折線４３２、４４２で第２折込部４３４、４４４を折り返しながら、上部横折線４３Ａ、４４Ａで第１折込部４３３、４４３を内向きに折り込んで、屋根パネル４１、４２の間に妻壁パネル４３、４４を折り込む。この際、屋根パネル４１、４２は、妻壁パネル４３、４４の折り込みに連動して、上部横折線４１Ａ、４２Ａにより内向きに折り曲げられる。そして、屋根パネル４１、４２を谷折線４１１、４２１に沿って谷折りするとともに、妻壁パネル４３、４４を山折線４３１、４４１に沿って山折りし、折返線４３６、４４６で折り返された妻壁パネル４３、４４の上端部４３５、４４５を屋根パネル４１、４２の上端部４１２、４２２間に介在させる。そして、上端部４１２、４２２、４３５、４４５を互いに加熱シールし、トップシール４６を形成する。
【００３４】
以上のような実施形態によれば、角部２３Ａに設けられた複数の角面部２５、２６間に、角部２３Ａを挟んで隣り合う胴部パネル２２、２３同士の交点ＣＰが形成されるため、当該交点ＣＰで角面部２５、２６間を角形状にすることができる。これにより、角部２３Ａの剛性が低下するのを防ぐことができるので、角面部２５、２６により視線誘引性を向上させつつ、容器の把持性が低下することを防止できる。
また、角部２３Ａの剛性が低下することを防止できるので、角部２３Ａが凹んだり、座屈したりすることを抑制でき、容器の美観が損なわれることを防止できる。
【００３５】
また、交点ＣＰの配置により、利用者がゲーブルトップ型容器１を把持する傾向にある高さ位置近傍で角部２３Ａを角形状にすることができるので、ゲーブルトップ型容器１の把持性が低下することを効果的に防止することができる。
【００３６】
また、角面部２５、２６の端部を構成する第１折曲線２５１、２６１および第２折曲線２５２、２６２の少なくとも一方の角度が小さいため、角面部２５、２６の端部の周辺に皺がよったり、容器を形成する前のゲーブルトップ型容器用パネル１０が歪んだりすることを抑制できる。
【００３７】
また、ゲーブルトップ型容器１が牛乳、乳飲料、ジュース等の飲料液体やヨーグルト、ゼリー等のゲル状食品の収容に用いられるため、ゲーブルトップ型容器１の汎用性を活かすことができる。
【００３８】
なお、本発明は前述した実施形態に限定されるものではなく、本発明の目的を達成できる範囲での変形、改良等は本発明に含まれる。
例えば、筒状胴部２は、断面３角形の角筒状や断面５角以上の角筒状であってもよい。この場合、胴部パネル２１〜２４の数は、角部２１Ａ、２２Ａ、２３Ａ、２４Ａの数に合わせることができる。
筒状胴部２は、角筒状のものに限られず、例えば、胴部パネル２１〜２４またはそれらの何れかを筒状胴部２の周方向に湾曲させ、部分的に円筒状にしてもよい。この場合、角部２１Ａ、２２Ａ、２３Ａ、２４Ａの数は、２つ以下でもよいし、５つ以上でもよい。
胴部縦折線２１Ｂ、２２Ｂ、２４Ｂは、直線状のものに限られず、曲線状に形成されてもよい。
【００３９】
角部２３Ａの角面部２５、２６間には、図３に示すように、胴部パネル２２、２３同士の交線ＣＬが形成され、胴部パネル２２、２３同士が交線ＣＬ上で接していてもよい。これにより、角部２３Ａにおける角形状の領域が長くなり、角部２３Ａの強度をより高めることができる。なお、図３の角面部２５、２６は、角度θが図１および図２に示すものよりも大きくなっている。
角面部２５、２６は、角部２３Ａ以外の角部２１Ａ、２２Ａ、２４Ａに設けられてもよいし、角部２１Ａ、２２Ａ、２３Ａ、２４Ａのうちの２つまたは３つに設けられてもよいし、全ての角部２１Ａ、２２Ａ、２３Ａ、２４Ａに設けられてもよい。
角面部２５、２６は、１つの角部２１Ａ、２２Ａ、２３Ａ、２４Ａに３つ以上設けられてもよい。この場合、角面部２５、２６間には、交点ＣＰおよび交線ＣＬのどちらを設けてもよく、１つの角部２１Ａ、２２Ａ、２３Ａ、２４Ａに交点ＣＰおよび交線ＣＬが混在してもよい。
角面部２５、２６の幅Ａは、互いに同じであってもよいし、異なってもよい。
角面部２５、２６は、第３折曲線２５３、２６３を設けなくてもよく、第１折曲線２５１、２６１に第２折曲線２５２、２６２を接続した構成としてもよい。
【００４０】
第１折曲線２５１、２６１や第２折曲線２５２、２６２は、例えば、図４に示す第１折曲線２５４、２６４や第２折曲線２５５、２６５のように、または、図５に示す第１折曲線２５６、２６６や第２折曲線２５７、２６７のように、曲線で構成されてもよい。図５に示す第１折曲線２５６、２６６および第２折曲線２５７、２６７は、角部２３Ａ側の端部を含む全体が曲線部とされ、角部２３Ａにおける曲線部の接線と直線Ｌ３とのなす角度θが３０度以下になっている。
第１折曲線２５１、２５４、２５６、２６１、２６４、２６６や第２折曲線２５２、２５５、２５７、２６２、２６５、２６７は、組み合わせが直線のもの同士または曲線のもの同士で統一されていなくてもよく、直線のものと曲線のものとが組み合わされてもよい。例えば、直線で構成された第１折曲線２５１と、曲線で構成された第２折曲線２５５とを組み合わせたり、曲線で構成された第１折曲線２６４と、直線で構成された第２折曲線２６２とを組み合わせたりしてもよい。
第１折曲線２５１、２６１や第２折曲線２５２、２６２は、部分的に曲線部とされてもよい。
第１折曲線２５４、２５６、２６４、２６６や第２折曲線２５５、２５７、２６５、２６７は、部分的に直線部とされてもよい。
各折曲線２５１〜２５７、２６１〜２６７は、直線Ｌ３に対して線対称となっていなくてもよい。
直線Ｌ３とのなす角度θは、第１折曲線２５１、２５４、２５６、２６１、２６４、２６６と第２折曲線２５２、２５５、２５７、２６２、２６５、２６７とで同じであってもよいし、異なってもよい。
第３折曲線２５３、２６３は、直線に限らず、曲線や波形線で構成されてもよい。
【００４１】
前記実施形態では、シールパネル２７、３５、４５は、同幅をもって形成されているが、これに限られず、シールパネル２７、３５、４５をそれぞれ異なる幅に形成してもよいし、シールパネル２７、３５、４５のうちの何れか２つのみを同じ幅に形成してもよい。また、シールパネル２７、３５、４５は、上下方向で幅寸法が一定である必要はなく、幅寸法を部分的に変えてもよい。
【００４２】
前記実施形態では、上部横折線４１Ａ、４２Ａ、４３Ａ、４４Ａは、直線状に形成されていたが、これに限られず、曲線状に形成されてもよい。例えば、上部横折線４１Ａ、４２Ａ、４３Ａ、４４Ａは、下に向かって凸状の曲線であってもよい。
口栓５は、屋根パネル４１に設けられてもよいし、なくてもよい。
【００４３】
本発明は、牛乳やジュース等の飲料液体や、ヨーグルトやゼリー等のゲル状食品を収容可能な様々なゲーブルトップ型容器１に利用できる。
【符号の説明】
【００４４】
１…ゲーブルトップ型容器、２…筒状胴部、３…底部、４…切妻屋根、２１〜２４…胴部パネル、２１Ａ、２２Ａ、２３Ａ、２４Ａ…角部、２５、２６…角面部、４１、４２…屋根パネル、４３、４４…妻壁パネル、４６…トップシール、２５１、２５４…第１折曲線、２５２、２５５…第２折曲線、２６１、２６４…第１折曲線、２６２、２６５…第２折曲線、４１２、４２２、４３５、４４５…上端部、ＣＬ…交線、ＣＰ…交点。
【図１】
2019123542.tif 000003
【図２】
2019123542.tif 000004
【図３】
2019123542.tif 000005
【図４】
2019123542.tif 000006
【図５】
2019123542.tif 000007